(57)【要約】【課題】  ペットと買い物の荷物とを一緒に運ぶことができるペット用ショッピングカートを提供することを目的とする。【解決手段】  複数個の車輪３を有する台車１と、台車１に立設されると共に上端にハンドル10を有するフレーム部２と、を備えたショッピングカートに於けるものである。かつ、台車１の上方にペットを収納する箱型の収納部４を配設した。さらに、収納部４の天井面に、窓部５を有する開閉自在の扉６と、荷物を置く載置部70と、を具備するものである。【選択図】  図１
0003110310.tif 000002
【実用新案登録請求の範囲】
【請求項１】
複数個の車輪（３）を有する台車（１）と、該台車（１）に立設されると共に上端にハンドル（10）を有するフレーム部（２）と、を備えたショッピングカートに於て、
上記台車（１）の上方にペットを収納する箱型の収納部（４）を配設し、該収納部（４）の天井面に、窓部（５）を有する開閉自在の扉（６）と、荷物を置く載置部（70）と、を具備することを特徴とするペット用ショッピングカート。
【請求項２】
複数個の車輪（３）を有する台車（１）と、該台車（１）に立設されると共に上端にハンドル（10）を有するフレーム部（２）と、を備えたショッピングカートに於て、
上記台車（１）の上方にペットを収納する箱型の収納部（４）を配設し、該収納部（４）の天井面に、荷物を置く前方の載置部（70）と、窓部（５）を有する開閉自在の後方の扉（６）と、を具備し、かつ、該扉（６）はその前端縁を軸心として後端縁が上方へ開くように揺動自在に枢着されていることを特徴とするペット用ショッピングカート。
【請求項３】
複数個の車輪（３）を有する台車（１）と、該台車（１）に立設されると共に上端にハンドル（10）を有するフレーム部（２）と、を備えたショッピングカートに於て、
上記台車（１）の上方にペットを収納する箱型の収納部（４）を配設し、該収納部（４）の天井面に、窓部（５）を有する開閉自在の扉（６）と、荷物を置く載置部（70）と、を具備し、該載置部（70）及び／又は上記扉（６）は、板状部材又はシート状部材から成る平面状上面板部（９）を有し、その平面状上面板部（９）の面積（Ｓ1 ）を上記収納部（４）の天井面の面積（Ｓ0 ）の35％以上90％以下になるように設定したことを特徴とするペット用ショッピングカート。
【請求項４】
複数個の車輪（３）を有する台車（１）と、該台車（１）に立設されると共に上端にハンドル（10）を有するフレーム部（２）と、を備えたショッピングカートに於て、
上記台車（１）の上方にペットを収納する箱型の収納部（４）を配設し、該収納部（４）の天井面に、窓部（５）を有する開閉自在の扉（６）と、荷物を置く第１載置部（７）と、を具備し、さらに、収納部（４）の下方に荷物を置く第２載置部（８）を備えたことを特徴とするペット用ショッピングカート。
【請求項５】
複数個の車輪（３）を有する台車（１）と、該台車（１）に立設されると共に上端にハンドル（10）を有するフレーム部（２）と、を備えたショッピングカートに於て、
上記台車（１）の上方にペットを収納する箱型の収納部（４）を配設し、該収納部（４）の天井面に、窓部（５）と、荷物を置く載置部（70）と、を具備し、さらに、上記収納部（４）が開放後面部（11）を有し、該開放後面部（11）はその上端部を軸心として下端部が内方へ開放するように揺動自在に枢着されると共に、開放後面部（11）の下端部が外方へ開放するのを防止するストッパ（12）を備えることを特徴とするペット用ショッピングカート。
【考案の詳細な説明】
【技術分野】
【０００１】
本考案は、ペットを収納することができるペット用ショッピングカートに関する。
【背景技術】
【０００２】
近年、ペット（犬・猫等）を連れたまま買い物ができる日用雑貨品等の販売店が増えてきている。そのような販売店では、飼い主（買い物客）は、ペットを紐で繋いで一緒に歩かせたりしながら、ショッピングカート（例えば、特許文献１参照）を押して買い物をしている。
【特許文献１】特開２００３−１７０８３４号公報
【考案の開示】
【考案が解決しようとする課題】
【０００３】
しかし、紐で繋がれていてもペットはある程度は自由に動けるため、飼い主ひとりでペットを連れながらショッピングカートを押して買い物をする際は、歩きにくく、また、陳列された商品を見ている間はペットに注意を向けることができず、ペットの行動が心配になり、スムースに買い物を行うことができないといった問題があった。
そこで、本考案は、ペットと買い物の荷物とを一緒に運ぶことができるペット用ショッピングカートを提供することを目的とする。
【課題を解決するための手段】
【０００４】
上記目的を達成するために、本考案に係るペット用ショッピングカートは、複数個の車輪を有する台車と、該台車に立設されると共に上端にハンドルを有するフレーム部と、を備えたショッピングカートに於て、上記台車の上方にペットを収納する箱型の収納部を配設し、該収納部の天井面に、窓部を有する開閉自在の扉と、荷物を置く載置部と、を具備するものである。
【０００５】
また、複数個の車輪を有する台車と、該台車に立設されると共に上端にハンドルを有するフレーム部と、を備えたショッピングカートに於て、上記台車の上方にペットを収納する箱型の収納部を配設し、該収納部の天井面に、荷物を置く前方の載置部と、窓部を有する開閉自在の後方の扉と、を具備し、かつ、該扉はその前端縁を軸心として後端縁が上方へ開くように揺動自在に枢着されているものである。
【０００６】
また、複数個の車輪を有する台車と、該台車に立設されると共に上端にハンドルを有するフレーム部と、を備えたショッピングカートに於て、上記台車の上方にペットを収納する箱型の収納部を配設し、該収納部の天井面に、窓部を有する開閉自在の扉と、荷物を置く載置部と、を具備し、該載置部及び／又は上記扉は、板状部材又はシート状部材から成る平面状上面板部を有し、その平面状上面板部の面積を上記収納部の天井面の面積の35％以上90％以下になるように設定したものである。
【０００７】
また、複数個の車輪を有する台車と、該台車に立設されると共に上端にハンドルを有するフレーム部と、を備えたショッピングカートに於て、上記台車の上方にペットを収納する箱型の収納部を配設し、該収納部の天井面に、窓部を有する開閉自在の扉と、荷物を置く第１載置部と、を具備し、さらに、収納部の下方に荷物を置く第２載置部を備えたものである。
【０００８】
また、複数個の車輪を有する台車と、該台車に立設されると共に上端にハンドルを有するフレーム部と、を備えたショッピングカートに於て、上記台車の上方にペットを収納する箱型の収納部を配設し、該収納部の天井面に、窓部と、荷物を置く載置部と、を具備し、さらに、上記収納部が開放後面部を有し、該開放後面部はその上端部を軸心として下端部が内方へ開放するように揺動自在に枢着されると共に、開放後面部の下端部が外方へ開放するのを防止するストッパを備えるものである。
【考案の効果】
【０００９】
本考案は、次のような著大な効果を奏する。
本考案に係るペット用ショッピングカートによれば、ペットと買い物の荷物とを一緒に運ぶことができ、飼い主（買い物客）はスムースに移動して買い物を行うことができる。  また、収納部内のペットは、窓部から頭（首）を出すことができるので、飼い主とのスキンシップも図ることができる。
【考案を実施するための最良の形態】
【００１０】
以下、実施の形態に示す図面に基づき本考案を詳説する。
本考案のペット用ショッピングカートは、食品販売店（食品売り場）以外の日用雑貨品又はガーデニング用品等の販売店で使用するものである。
図１〜図４に示す第１の実施の形態に於て、１は複数個の車輪３を有する台車であり、台車１の後端部にはフレーム部２が立設され、そのフレーム部２の上端には、台車１を押すためのハンドル10を有している。
台車１の上方にはペットを収納する箱型の収納部４が配設され、収納部４の天井面には、荷物を置く前方の第１載置部７（載置部70）と、窓部５を有する開閉自在の後方の扉６と、を具備している。収納部４の天井面は、扉６が開くことで開口部27が形成される（図2 参照）。
さらに、収納部４の下方の台車１上には荷物を置く第２載置部８が設けられている。
【００１１】
フレーム部２は、くの字状に曲げられた左右の支柱部17，17を有し、この支柱部17，17の下端部は台車１に付設され、上端部にはハンドル10が連設されている。また、支柱部17，17の前方には収納部４が配設され、収納部４の後端部が支柱部17，17に付設されている。さらに、支柱部17，17の下部の前方には、補助フレーム18，18が配設され、補助フレーム18，18の上端は収納部４の底面に付設され、下端は台車１に付設されている。
【００１２】
収納部４の前後左右の側面及び底面は、多数本の金属製の線材を折曲げ柵状又は格子状に組んで形成され、収納部４の左右側面、天井面、及び底面は、前方へ向かって幅寸法が小さくなる台形状に形成されている。
また、図３に示すように、収納部４はその天井面に略コの字状に折曲げられた枠部16を有し、枠部16の両端部は支柱部17，17に固着されている。第１載置部７と扉６は、枠部16内に配設され、第１載置部７と扉６はそれぞれ台形状に形成されている。また、第１載置部７は板状部材から成る平面状上面板部９を有し、扉６は多数本の金属製の線材を折曲げ柵状に組んで形成されている。
【００１３】
また、図３に於て、第１載置部７の平面状上面板部９の面積Ｓ1 は、収納部４の天井面の面積Ｓ0 の35％以上90％以下になるように設定されている。平面状上面板部９の面積Ｓ1 が、収納部４の天井面の面積Ｓ0 の35％未満になると、第１載置部７に安定して荷物を置くことが困難になり、90％より大きくなると窓部５を形成できなくなるからである。なお、収納部４の天井面の面積Ｓ0 とは、窓部５が占める面積も含めた天井面全体の面積をいう。
【００１４】
また、扉６はその前端縁を軸心として後端縁が上方へ開くように揺動自在に枢着されている。具体的には、第１載置部７の後端縁に扉６の前端縁がヒンジ機構14，14を介して揺動自在に付設され、さらに、扉６は下方（収納部４の内側に）開かないように、扉６の後端縁を形成する線材の左右両端部を側外方に延伸させた係止部15，15を有し、その係止部15，15が枠部16の上部に当接するようになっている。
さらに、収納部４内のペットが扉６を簡単に開けて外へ跳び出さないように、扉６は係止部15，15の先端から下方へ延びる挟持部19，19を有し、この挟持部19，19が枠部16の左右側面に圧接するようになっている。つまり、左右の挟持部19，19の間隔寸法を枠部16の基端部の幅寸法より僅かに小さくなるように設定し、挟持部19，19の弾発力にて枠部16を挟むようになっている。
また、扉６の後端部には上方に突出した取手部20を有している。
【００１５】
収納部４の天井面は僅かに前方下傾状に配置されているため、第１載置部７の上面部は、載置した荷物又は荷物を入れるかごが落ちないように、枠部16の上端より下方に配設されている（図２参照）。即ち、枠部16が、第１載置部７上に載置された荷物等の落下を防止するストッパとなっている。
また、収納部４の底面には、収納部４内に収納されたペットの脚がその底面の格子状に組まれた線材の隙間から脱落して怪我をしないように、板状部材から成る脱落防止床13が形成されている。
【００１６】
また、図２に示すように、収納部４は開放後面部11を有し、開放後面部11はその上端部を軸心として下端部が内方（前方）へ開放するように揺動自在に枢着されている。具体的には、ハンドル10に水平状に軸部材22を取り付け、その軸部材22に開放後面部11の上端から突出した複数個の倒立Ｕ字状の掛止部23を引っ掛けて取り付けている。そして、その開放後面部11の下端部が外方（後方）へ開放するのを防止するために、支柱部17，17には、開放後面部11の下端部が内側（前方）から当接する水平棒状のストッパ12を設けている。  そして、収納部４内にペットを収納しない状態───未使用状態───では、開放後面部11を略水平状になるまで揺動させて、複数のペット用ショッピングカートをコンパクトに集積すること（ネスティング）が可能となっている。また、収納部４内にペットを収納した状態───使用状態───では、ペットが収納部４内から開放後面部11を押しても開放後面部11が開放することはない。
【００１７】
台車１は、前方に向かって幅寸法が小さくなる略台形の基台部24を有し、基台部24の前端部と後端部には、それぞれ左右２個ずつの車輪３が回転自在に取り付けられている。
さらに、基台部24上には金属製の線材を折曲げて形成される第２載置部８が設けられている。第２載置部８は、支柱部17，17の下部の間に付設された水平状のストレート線材と、ストレート線材に付設される２個の略Ｖ字型に折曲げられた線材と、から成っている。また、その略Ｖ字型の線材は僅かに前方下傾状に配設されており（図２参照）、その先細の前端部は上方に折曲げられて、第２載置部８に載置した荷物が落ちないようになっている。
【００１８】
また、収納部４の左右側面に表示部25が設けられている。そして、収納部４はペットを収納するためのものであることを買い物客や飼い主等に示すために、表示部25及び第１載置部７の平面状上面板部９にはペット（犬・猫等）の絵が描かれている。また、収納部４の前面にプレート26が取り付けられ、このプレート26にもペットの絵が描かれていてもよい。また、表示部25、プレート26、平面状上面板部９には、ペットの絵だけでなく文字でペット用の収納部４であることを示しても自由である。
【００１９】
次に、図５に示す第２の実施の形態に於て、収納部４の天井面に、荷物を置く前方の第１載置部７（載置部70）と、窓部５を有する開閉自在の後方の扉６と、を具備している。そして、扉６はその前端縁を軸心として後端縁が上方へ開くように揺動自在に枢着されている。
また、第１載置部７と扉６はそれぞれ台形状に形成され、第１載置部７と扉６とは、板状部材から成る平面状上面板部９を有している。さらに、第１載置部７の平面状上面板部９と扉６の平面状上面板部９との（合計）面積Ｓ1 は、収納部４の天井面の面積Ｓ0 の35％以上90％以下になるように設定されている。
なお、図５に於て、図３と同一の符号は、図３と同様の構成であるので説明を省略する。
【００２０】
図６と図７に示す第３の実施の形態に於て、台車１の上方にペットを収納する収納部４を配設し、収納部４の天井面には、窓部５と、荷物を置く第１載置部７（載置部70）と、を具備している。即ち、収納部４の天井面に開閉自在の扉６は有しておらず、図７に示すように、第１載置部７は、枠部16内に付設された台形の板状部材に窓部５を開口して形成されている。また、第１載置部７は板状部材から成る平面状上面板部９を有し、この平面状上面板部９の面積Ｓ1 は、収納部４の天井面の面積Ｓ0 の35％以上90％以下になるように設定されている。
【００２１】
図６に於て、収納部４は開放後面部11を有し、開放後面部11はその上端部を軸心として下端部が内方（前方）へ開放するように揺動自在に枢着されている。収納部４は、開放後面部11が開くことで開口部28を有する。具体的には、支柱部17，17の上端部に水平状に軸部材22を取り付け、その軸部材22に開放後面部11の上端から突出した複数個の倒立Ｕ字状の掛止部23を引っ掛けて取り付けている。そして、その開放後面部11の下端部が外方（後方）へ開放するのを防止するために、支柱部17，17には、開放後面部11の下端部が内側（前方）から当接する水平棒状のストッパ12を設けている。なお、軸部材22の付設位置は、開放後面部11が略水平状にまで揺動（開放）できる位置に設定されている。
また、第１載置部７の上面部は、載置した荷物等が落ちないように、枠部16の上端より下方に配設されている。
なお、図６と図７に於て、図２及び図３と同一の符号は、図２及び図３と同様の構成であるので説明を省略する。
【００２２】
また、本考案のペット用ショッピングカートは、設計変更自在であり、第１載置部７は、多数本の線材を格子状又は柵状に組んで形成された支持台の上にシート状部材や薄板部材を敷設したものであってもよい。この場合、第１載置部７の平面状上面板部９は、敷設されたシート状部材又は薄板部材である。また、平面状上面板部９は、第１載置部７と扉６のそれぞれの上面の全面に渡って形成されていても、部分的に形成されていても自由である。
さらに、平面状上面板部９を形成する板状部材は、木製、金属製、又は樹脂製等であり、飼い主が収納部４内のペットを見え易くするために、平面状上面板部９をアクリル板等の透明部材で形成するも好ましい。
また、収納部４の底面に有する脱落防止床13は、金属製・木製等の板状部材に限らず、ビニール製等のシート状部材であってもよい。
【００２３】
上述した本考案であるペット用ショッピングカートの使用方法（作用）について説明する。
まず、図２に於て、扉６の取手部20を持ち上げて、扉６を上方へ開ける。そして、収納部４の天井面の開口部27からペットを収納部４内に入れて、扉６を下方へ押して閉じ収納する。この扉６を閉じる際、扉６の挟持部19，19は枠部16の左右側面に圧接して、扉６が、挟持部19，19の弾発力にて枠部16を挟んで固定される。
また、図４に示すように、ペットは収納部４内では自由に動くことができ、天井面の窓部５から頭（首）を出すこともできる。
【００２４】
次に、飼い主はハンドル10を持って、販売店内でペット用ショッピングカートを押しながら移動し、商品や商品を入れるかご、又は、その他の荷物は、第１載置部７（載置部70）又は第２載置部８へ置く。
また、ペットを収納部４から出す場合は、再度扉６を開いて開口部27から出す。
【００２５】
以上のように、本考案であるペット用ショッピングカートは、複数個の車輪３を有する台車１と、台車１に立設されると共に上端にハンドル10を有するフレーム部２と、を備えたショッピングカートに於て、台車１の上方にペットを収納する箱型の収納部４を配設し、収納部４の天井面に、窓部５を有する開閉自在の扉６と、荷物を置く載置部70と、を具備するので、ペットと買い物の荷物とを一緒に運ぶことができ、飼い主（買い物客）はスムースに移動して買い物を行うことができる。また、収納部４内のペットは、窓部５から頭（首）を出すことができるので、飼い主とのスキンシップも図ることができる。
【００２６】
また、複数個の車輪３を有する台車１と、台車１に立設されると共に上端にハンドル10を有するフレーム部２と、を備えたショッピングカートに於て、台車１の上方にペットを収納する箱型の収納部４を配設し、収納部４の天井面に、荷物を置く前方の載置部70と、窓部５を有する開閉自在の後方の扉６と、を具備し、かつ、扉６はその前端縁を軸心として後端縁が上方へ開くように揺動自在に枢着されているので、ペットと買い物の荷物とを一緒に運ぶことができ、飼い主（買い物客）はスムースに移動して買い物を行うことができる。また、収納部４内のペットは、窓部５から頭（首）を出すことができるので、飼い主とのスキンシップも図ることができる。
さらに、飼い主が本考案のショッピングカート押す位置（ハンドル10の後方）にて、扉６を開閉し易く、簡単に収納部４内へペットを出し入れすることができる。また、載置部70上に荷物が載置されていても、扉６を開閉する際に、その荷物が邪魔にならない。
【００２７】
また、複数個の車輪３を有する台車１と、台車１に立設されると共に上端にハンドル10を有するフレーム部２と、を備えたショッピングカートに於て、台車１の上方にペットを収納する箱型の収納部４を配設し、収納部４の天井面に、窓部５を有する開閉自在の扉６と、荷物を置く載置部70と、を具備し、載置部70及び／又は扉６は、板状部材又はシート状部材から成る平面状上面板部９を有し、その平面状上面板部９の面積Ｓ1 を収納部４の天井面の面積Ｓ0 の35％以上90％以下になるように設定したので、ペットと買い物の荷物とを一緒に運ぶことができ、飼い主（買い物客）はスムースに移動して買い物を行うことができる。また、収納部４内のペットは、窓部５から頭（首）を出すことができるので、飼い主とのスキンシップも図ることができる。
また、載置部70は、平面状上面板部９を有しているので、小さい商品（荷物）であっても載置部70に載せることができ、収納部４内のペットが載置部70上の商品にいたずらをすることを防止できる。
また、平面状上面板部９の面積Ｓ1 を収納部４の天井面の面積Ｓ0 の35％以上90％以下になるように設定したので、載置部70の商品（荷物）を安定して載置できる面積を確保すると共に、窓部５を形成することができる。
【００２８】
また、複数個の車輪３を有する台車１と、台車１に立設されると共に上端にハンドル10を有するフレーム部２と、を備えたショッピングカートに於て、台車１の上方にペットを収納する箱型の収納部４を配設し、収納部４の天井面に、窓部５を有する開閉自在の扉６と、荷物を置く第１載置部７と、を具備し、さらに、収納部４の下方に荷物を置く第２載置部８を備えたので、ペットと買い物の荷物とを一緒に運ぶことができ、飼い主（買い物客）はスムースに移動して買い物を行うことができる。また、収納部４内のペットは、窓部５から頭（首）を出すことができるので、飼い主とのスキンシップも図ることができる。
また、荷物を載置するスペースを十分に確保できる。
【００２９】
また、複数個の車輪３を有する台車１と、台車１に立設されると共に上端にハンドル10を有するフレーム部２と、を備えたショッピングカートに於て、台車１の上方にペットを収納する箱型の収納部４を配設し、収納部４の天井面に、窓部５と、荷物を置く載置部70と、を具備し、さらに、収納部４が開放後面部11を有し、開放後面部11はその上端部を軸心として下端部が内方へ開放するように揺動自在に枢着されると共に、開放後面部11の下端部が外方へ開放するのを防止するストッパ12を備えるので、ペットと買い物の荷物とを一緒に運ぶことができ、飼い主（買い物客）はスムースに移動して買い物を行うことができる。また、収納部４内のペットは、窓部５から頭（首）を出すことができるので、飼い主とのスキンシップも図ることができる。
また、開放後面部11を内方へ開放すれば、開口部28からペットを収納部４内へ出し入れでき、ペットが収納部４内に収納されていない場合（未使用状態）では、複数のペット用ショッピングカートをコンパクトに集積すること（ネスティング）ができる。即ち、開放後面部11が、ペットを収納部４内へ出し入れするための扉とネスティング機構とを兼ねるので、構造の簡素化を図ることができる。
また、開放後面部11は外方へ開放しないので、収納部４内のペットが開放後面部11を内側から押しても開けることができず、ペットが外へ跳び出すことがなく安全である。
【図面の簡単な説明】
【００３０】
【図１】本考案の第１の実施の形態を示す斜視図である。
【図２】側面図である。
【図３】平面図である。
【図４】使用状態を示す要部斜視図である。
【図５】第２の実施の形態を示す平面図である。
【図６】第３の実施の形態を示す側面図である。
【図７】平面図である。
【符号の説明】
【００３１】
１  台車
２  フレーム部
３  車輪
４  収納部
５  窓部
６  扉
７  第１載置部
８  第２載置部
９  平面状上面板部
10  ハンドル
11  開放後面部
12  ストッパ
70  載置部
Ｓ0   収納部の天井面の面積
Ｓ1   平面状上面板部の面積
【図１】
0003110310.tif 000003
【図２】
0003110310.tif 000004
【図３】
0003110310.tif 000005
【図４】
0003110310.tif 000006
【図５】
0003110310.tif 000007
【図６】
0003110310.tif 000008
【図７】
0003110310.tif 000009